(57)【特許請求の範囲】
【請求項１】
回転軸を水平に配したモーターと、遠心型のファンと、前記モーター及び前記ファンの周囲にありかつ冷却風を吹き出す出口と前記モーターと反対側の横方向に設けたファンの吸い込み口とを有するファンガイドと、を有するファンユニットと、加熱コイルと、前記加熱コイルを駆動する回路ユニットと、本体外面の天板と、吸気口と、排気口と、前記吸気口と前記ファンの吸い込み口とをつなぐとともに前記ファンガイドの下方に空間を有する通風路とを備え、前記通風路を形成する隔壁は前記吸気口から前記空間に達する途中まで設けられ、かつ、前記ファンガイドと前記隔壁との間に通風隙間が空くようにして、空気の流れが前記隔壁の下端部から前記通風隙間および前記ファンガイド下方の空間を通って上昇し前記ファンの吸い込み口に達すべく、前記ファンガイド下方の空間と前記通風隙間とが繋がった空間を設けた誘導加熱調理器。
【請求項２】
ファンユニットを加熱コイルよりも本体の外方に配し、ファンの吹き出し方向を斜め上方向にして成る請求項１記載の誘導加熱調理器。
【請求項３】
ファンユニットのファンガイド下方の空間下方の壁面を、モーターと反対側のファンの吸い込み口から遠い側を下に傾斜させて成る請求項１記載の誘導加熱調理器。
【発明の詳細な説明】
【０００１】
【発明の属する技術分野】
本発明はキッチンなどに設置される誘導加熱調理器に関するものである。
【０００２】
【従来の技術】
従来この種誘導加熱調理器は図７、図８に示すようになっていた。図において本体１はキッチンに組み込んで使用するもので、天板２と、吸気口３と、加熱コイル４・５と、モーター６・７、ファン８・９、ファンガイド１０・１１とから成るファンユニット１２・１３と、ファンユニット１２・１３の近くに配した回路ユニット１４・１５と、ロースター１６と操作部１７とを備えている。
【０００３】
そしてファンユニット１２・１３の構成はファン８・９を軸流ファンとして水平に配し、その上側にモーター６・７を置き、これら周囲に下部にファン吸い込み口１８を備えたファンガイド１０・１１があり、ファンガイド１０・１１の出口１９からほぼ水平方向に吹き出して回路ユニット１４・１５を主に加熱コイル４・５も冷却する風路が形成されている。また、吸気口３からファン吸い込み口１８に至る間は通風路２０が形成され、吸気口３からファン８・９に冷却風を導いている。
【０００４】
ファンユニット１２・１３の寸法は奥行きＡと幅Ｂはファン８・９の半径方向のためほぼ同一寸法で、ファン８・９は軸流ファンのため扁平な形状のため、Ａ・Ｂ寸法は高さＣよりも大きくなっている。このため、ファンユニット１２・１３の前方にある回路ユニット１４、１５や操作部１７の空間が狭められている。
【０００５】
【発明が解決しようとする課題】
通常キッチンに設置する加熱調理器の縦、横、高さのモジュール寸法は通常決まっており、調理器本体をこの寸法以内の大きさにしなければ設置できなくなる。高さ寸法はカウンタートップの穴に入れる組込型が２２０ｍｍ、置き台の上に置く据え置き型が１８０ｍｍであることが多い。
【０００６】
従って、キッチンに設置する加熱調理器は縦、横、高さのうち、最も小さな寸法である高さを所定寸法内に抑えることが難しく、ファンユニット１２・１３の高さＣを制約寸法に抑えながら性能を得る必要がある。軸流ファンを用いることは高さの点で有利であるが、調理器本体１内の通路抵抗よりファンユニット１２・１３の発生圧力を大きくするためファン８・９を厚くすることは、高さ寸法Ｃが大きくなり、また、通風路２０の一部であるファンユニット１２・１３の下の空間Ｄが狭くなって吸気口３から通風路２０内に入った水を吸いやすくなるので、困難であった。
【０００７】
本発明は、上記従来の課題を解決するもので、キッチンなどの設置型の誘導加熱調理器など、最も寸法が小さい縦方向の寸法制約内で、ファンユニットの発生圧力を高めやすくし、吸気口から本体内に入った水をファンが吸い込みにくくしたファンユニットの構成を容易にするものである。
【０００８】
【課題を解決するための手段】
回転軸を水平に配したモーターと、遠心型のファンと、前記モーター及び前記ファンの周囲にありかつ冷却風を吹き出す出口と前記モーターと反対側の横方向に設けたファンの吸い込み口とを有するファンガイドと、を有するファンユニットと、加熱コイルと、前記加熱コイルを駆動する回路ユニットと、本体外面の天板と、吸気口と、排気口と、前記吸気口と前記ファンの吸い込み口とをつなぐとともに前記ファンガイドの下方に空間を有する通風路とを備え、前記通風路を形成する隔壁は前記吸気口から前記空間に達する途中まで設けられ、かつ、前記ファンガイドと前記隔壁との間に通風隙間が空くようにして、空気の流れが前記隔壁の下端部から前記通風隙間および前記ファンガイド下方の空間を通って上昇し前記ファンの吸い込み口に達すべく、前記ファンガイド下方の空間と前記通風隙間とが繋がった空間を設けたもので、吸気口から入った水を通風路を経由して空間に溜め、あるいは通風路下面から、ファンの吸い込み口との距離を大きくして、冷却能力の低下を抑制しながら、ファンが吸気口から本体内に入った水を吸い込みにくくするものである。
【０００９】
【発明の実施の形態】
請求項１に記載の発明は、回転軸を水平に配したモーターと、遠心型のファンと、前記モーター及び前記ファンの周囲にありかつ冷却風を吹き出す出口と前記モーターと反対側の横方向に設けたファンの吸い込み口とを有するファンガイドと、を有するファンユニットと、加熱コイルと、前記加熱コイルを駆動する回路ユニットと、本体外面の天板と、吸気口と、排気口と、前記吸気口と前記ファンの吸い込み口とをつなぐとともに前記ファンガイドの下方に空間を有する通風路とを備え、前記通風路を形成する隔壁は前記吸気口から前記空間に達する途中まで設けられ、かつ、前記ファンガイドと前記隔壁との間に通風隙間が空くようにして、空気の流れが前記隔壁の下端部から前記通風隙間および前記ファンガイド下方の空間を通って上昇し前記ファンの吸い込み口に達すべく、前記ファンガイド下方の空間と前記通風隙間とが繋がった空間を設けたもので、ファンユニットのファンの吸い込み口をファンユニットの横方向に配したことにより、吸気口からあるいは下面からの水や水滴が、横方向に移動しないとファンが水を吸い込まないので、基本的に水を吸い込みにくく、また、横方向から風を吸い込むので横方向（回転軸方向）の吸気路を形成しても効率よく吸気できる。したがって、吸気口との間に水よけの遮蔽板を設けた場合においても、横方向の吸気能力（空気移動能力）を大きくできるので、横方向の通風路を長くして、ファンの吸い込み口を吸気口や通風路下面から遠ざけ、ファンが吸気口から本体内に入った水を吸い込みにくくすると同時に、吸気能力の低下を防ぎ、ファンを回転軸方向に長くして排気風量を大として効率よく冷却能力を高めることができる。また、通風路を形成する隔壁は吸気口から前記空間に達する途中まで設けられ、かつ、ファンガイドと前記隔壁との間に通風隙間が空くようにして、空気の流れが前記隔壁の下端部から通風隙間およびファンガイド下方の空間を通って上昇しファンの吸い込み口に達すべく、ファンガイド下方の空間と通風隙間とが繋がった空間を設けたことにより、吸気口から入った水を通風路を経由して空間に溜め、あるいは通風路下面から、ファンの吸い込み口との距離を大きくして、冷却能力の低下を抑制しながら、ファンが吸気口から本体内に入った水を吸い込みにくくするものである。
【００１０】
請求項２に記載の発明は、ファンユニットを加熱コイルよりも本体の外方に配し、ファンの吹き出し方向を斜め上方向にしたもので、ファンから出る冷却風が本体内で下方から斜め上方向に流れ、回路ユニットに加え加熱コイルや天板の冷却も効果的にできる。
【００１１】
請求項３に記載の発明は、ファンユニットのファンガイド下方の空間下方の壁面を、モーターと反対側のファンの吸い込み口から遠い側を下に傾斜させたもので、ファンユニット下の空間に入った水はファンの吸い込み口から遠ざかる向きに流れるので、本体内に入った水をファンが吸い込みにくくできる。
【００１２】
【実施例】
以下、本発明の実施例について、図１〜３を参照しながら説明する。
【００１３】
（実施例１）
図１、図２、図３は本発明の第１の実施例を示すものである。
【００１４】
キッチンの置き台２１上に置いて設置する本体２２はキッチンユニット寸法があり、外形寸法が決められており、高さは１８０ｍｍであることが多い。本体２２上面には、天板２３と、天板２３後方の吸気口２４・排気口２５を備える。また本体内には、加熱コイル２６・２７と、モーター２８・ファン２９・ファンガイド３０とから成るファンユニット３１と、ファンユニット３１の近くに配した回路ユニット３２・３３と、ロースター３４と操作部３５とを備えている。
【００１５】
そしてファンユニット３１の構成はファン２９を遠心型であるシロッコファンとして回転軸を水平に配し、その本体外側にモーター２８を置き、これら周囲にモーター２８と反対側にファン２９の吸い込み口３６を備えたファンガイド３０があり、冷却風はファンガイド３０の出口３７からほぼ水平方向に吹き出して回路ユニット３２・３３を主に冷却する風路が形成されている。ここで、ファン２９の回転軸は本体２２の横方向に水平であるのに対し、冷却風の吹き出し方向は、本体２２の前方向にほぼ水平であるので、ファン２９の回転軸とファンユニット３１からの冷却風の吹き出し方向は角度を持っている。
【００１６】
また、吸気口２４からファン吸い込み口３６に至る間は、下部が図中でＥの高さとした空間３８を持った通風路３９が形成され、吸気口２４からファン２９に冷却風を導いている。
【００１７】
さらに、ファンガイド３０と通風路３９との間には通風隙間３８ａが空くよう、ファンガイド３０と隔壁３９ａとは分離されており、通風路３９の隔壁３９ａは吸気口２４から空間３８に達する途中まで設けられている。
【００１８】
ファンユニット３１の寸法は高さＦが最小で、縦（奥行き）Ｇは高さＦよりも出口３７部分が大きく、横Ｈはファン２９とモーター２８と吸い込み口３６および吸い込み隙間Ｊを含むため、最大となっている。
【００１９】
以上のように構成された誘導加熱調理器において、ファンユニット３１の縦、横、高さのうち最大寸法である横方向とファン２９の回転軸の方向とが一致し、ファンユニット３１の最大寸法方向と本体２２の寸法余裕のある最大寸法方向である横方向とが一致するので、ファンユニット３１の占める空間が本体２２の最大寸法方向でない高さ方向、奥行き方向にある他の構成部品に与える寸法影響を低減できる。
【００２０】
また、ファン２９は遠心型であるのでファン２９の直径と回転数を確保すれば圧力は容易に得られ、長さを与えることで風量を得ている。従って、ファンユニット３１はファン２９の軸方向が最大寸法で、本体２２の最大寸法方向と一致するので、本体２２の制約寸法の中でファン２９を長くして風量確保を容易にし、ファン能力の低下を防ぐものである。
【００２１】
なお、上記においてファンユニット３１の吹き出し方向をファン２９の回転軸を略直角にしており、軸方向の長さの冷却能力に対する寄与度が最も大きくなり望ましいが、これに限定されるものではなく、ファン２９の回転軸と吹き出し方向の角度は略同方向でない限り任意に設定しても上記の効果は得られる。
【００２２】
加えて本実施例は、本体２２内に配置したファンユニット３１のファン２９を軸流型ファンに比べ圧力を得られる遠心型ファンであるシロッコファンとし、ファン２９の吸い込み口３６・３６ａをファン２９の回転軸方向で、ファンユニット３１の横方向に配している。こうすれば図２図３に矢印で記すように、ファン２９の吸い込み口３６・３６ａに達するまでには、吸気口２４から通風路３９を通り、隔壁３９ａ下端部で空間３８と通風隙間３８ａの２方向に分流する。従って一方の流れは通風路３９底の空間３８を通り、底の空間３８から上昇しながらファンユニット３１の側面方向に達する。他方の流れは、隙間３８ａからファンガイド３０の外側上方を回って、ファンユニット３１の側面方向に達する。
【００２３】
この結果、ファン吸気口３６・３６ａに達するまでの吸気口２４からの経路を長くし、通風路３９底の空間３８からも高さ方向に距離を得られるので、ファン２９が吸気口２４から本体２２内に入った水を吸い込みにくくするものである。
【００２４】
また、横方向にファン吸い込み口３６を設けることによりファン吸い込み口３６の周囲から風を吸い込むので、横方向（軸方向）に形成されたファンユニット３１の周囲の空間（空間３８あるいはファンユニット上部の空間など、排気口がある部分以外の空間）に横方向（軸方向）の空気の流れを効率よく多く作り出すことができ吸気抵抗を少なくすることができる。
【００２５】
また、ファン２９の吸い込み口３６・３６ａに達するまでには、吸気口２４から通風路３９を通り、隔壁３９ａ下端部で空間３８と通風隙間３８ａの２方向に分流することにより、さらに吸気抵抗を小さくすることができる。
【００２６】
また、遠心ファンの一種としてクロスフローファンが考えられるが、本実施例のように、吸気口２４から排気口２５までの経路が長く、途中で通気経路が屈曲するものにおいては本体内通気による圧力損失が大きくなるので、クロスフローファンよりも本実施例で使用したシロッコファンの方が高圧力が得られ有利である。また、クロスフローファンの場合はファンの両端で軸受けが必要なのでシロッコファンに比べ軸受けが１個余分に必要になり、限られた本体内の空間を有効に使ってファンの出力を得る点において不利である。
【００２７】
また、遠心ファンとしてクロスフローファンを用いた場合は、その構成特徴から吸気口２４からファンガイド３０の上部に通じる通風路を形成する必要があるが、その場合は水を同時に容易に吸い込む経路となる。一方、シロッコファンの場合は吸気口２４から通風路３９および通風路３９底の空間３８を通り、底の空間３８から上昇しながらファンユニット３１側面方向に達するで、水を吸い込みにくくする点で有利である。
【００２８】
さらに本実施例は、ファンユニット３１を構成するファンガイド３０の下方に通風路３９とつながり、通風路３９の一部を成す空間３８を設けたもので、空間３８の先端は図３から解るように、ファンユニット３１の出口３７に達する部分に前壁４０を配して、空間３８は奥行きと容積とを限られたスペースの中で多くとるよう配慮している。
【００２９】
この構成により、吸気口２４から一気に多量の水が入った場合には、水が通風路３９下方の空間３８に達した後、前方向に前壁４０に達する距離と空間容積によって水の流速と前壁４０に当たった後の跳ね返り波を小さくできる。この結果、吸気口２４から入った水を空間３８に留め、ファン２９が吸い込み口３６・３６ａから水を吸い込んで回路ユニット３２・３３など本体２２内部の充電部や構造物に達しにくくできる。
【００３０】
（実施例２）
図４は本発明の第２の実施例における誘導加熱調理器の断面図を示す。
【００３１】
図において、本体４２、天板４３と、吸気口４４、排気口４５（図示せず）、加熱コイル４６・４７（図示せず）と、モーター４８（図示せず）・ファン４９・ファンガイド５０とから成るファンユニット５１と、ファンユニット５１の近くに配した回路ユニット５２・５３、ロースター５４（図示せず）、操作部５５、ファンユニット５１の出口とは前記実施例の図１の対応する部分あるいは部品と同様なものである。
【００３２】
また、吸気口４４からファン吸い込み口５４（図示せず）に至る間の、ファンユニット５１下方に空間５７を持った通風路５８や、通風隙間５７ａと隔壁５８ａ、およびファンユニット３１の縦・横・高さ寸法関係も前記実施例の図２と対応する部品あるいは部分と同様なものである。
【００３３】
また、前記実施例と同様ファンユニット５１は、送風力発生部を構成するファン４９やファンガイド５０がおおよそ加熱コイル４６に対し、後ろ側外方に露出している。
【００３４】
前記実施例と異なるのは、ファンガイド５０の出口付近５９が冷却風の吹き出し先端側が上になるよう傾斜して、図中に矢印で示すように冷却風がファンガイド５０の出口５６から斜め上方向に吹き出している点である。
【００３５】
また、本実施例ではファンユニット出口５６の下部分に分流板６０を設けて冷却風が一部略横方向に流れるようにして、２段に積んだ下の回路ユニット５２にも冷却風の一部が達するようにしている。さらに、ファンユニット５１側の加熱コイル４６の支持板６１にはファンユニット５１に近い側に通風口６２を開け、ファンユニット５１から斜め上に吹き出る冷却風が加熱コイル４６に当たりやすくしている。
【００３６】
このように構成することで、ファンユニット５１の大部分が加熱コイル４６よりも本体の外方露出して配され、また、ファン４９の吹き出し方向が斜め上方向なので、ファン４９から出る冷却風が本体４２内で下方から斜め上方向に流れる。このため、回路ユニット５２・５３に加え加熱コイル４６を裏面から冷却し、天板４３にも加熱コイル４６に当たる冷却風の一部が当たり、回路ユニット５２・５３に加え加熱コイル４６や天板４３も効果的に冷却される。
【００３７】
（実施例３）
図５、図６は本発明の第３の実施例における誘導加熱調理器の断面図を示す。
【００３８】
図において、本体７２、天板７３と、吸気口７４、排気口７５、加熱コイル７６・７７と、モーター７８・ファン７９・ファンガイド８０とから成るファンユニット８１と、ファンユニット８１の近くに配した回路ユニット８２・８３、ロースター８４、操作部８５、ファンユニット８１の出口とは前記実施例と同様なものである。
【００３９】
また、吸気口７４からファン吸い込み口９０に至る間の、ファンユニット８１下方に空間８７を持った通風路８８（図示せず）や隔壁８８ａ、ファンユニット８１の縦・横・高さ寸法関係も前記実施例と同様なものである。
【００４０】
前記実施例と異なるのは、ファンユニット８１下方の空間８７の底壁面８９を、ファン７９の主の吸い込み口９０から遠ざかる側で、補助の吸い込み口９０ａよりも外側が低くなるよう傾斜させて、高い側が本体７２の外郭底面９１よりも図６中のＬだけ持ち上がったようになっている。また、底壁面８９の低い側の端付近には開口９２があり、ほぼ合致した位置に外郭底面９１にも開口９３が設けられている。
【００４１】
以上のような構成において、吸気口７４からファンユニット８１下の空間に入った水は、底壁面８９に沿ってファン７９の主の吸い込み口９０から遠ざかる向きに流れるので水や水のしぶきをファン７９が吸い込みにくい。また、開口９２および９３からファンユニット８１外に短時間で排出されるので、本体７２内に入った水をファン７９がさらに吸い込みにくくできる。
【００４２】
【発明の効果】
以上のように、請求項１〜３の発明によれば、キッチンへの設置型など本体外形寸法が決まっている場合において、最も寸法が小さい縦方向の寸法制約内で、ファンユニットの発生能力を高め、かつ、吸気口から本体内に入った水を吸い込みにくいファンユニットの構成した誘導加熱調理器を提供するものである。
【図面の簡単な説明】
【図１】本発明の第１の実施例における誘導加熱調理器の分解斜視図
【図２】本発明の第１の実施例における誘導加熱調理器の要部断面図
【図３】本発明の第１の実施例における誘導加熱調理器の断面図
【図４】本発明の第２の実施例における誘導加熱調理器の断面図
【図５】本発明の第３の実施例における誘導加熱調理器の分解斜視図
【図６】本発明の第３の実施例における誘導加熱調理器の要部断面図
【図７】従来の誘導加熱調理器の分解斜視図
【図８】従来の誘導加熱調理器の断面図
【符号の説明】
２２、４２、７２  本体
２３、４３、７３  天板
２４、４４、７４  吸気口
２５  排気口
２６、２７、４６、７６、７７  加熱コイル
２８、７８  モーター
２９、４９、７９  ファン
３０、５０、８０  ファンガイド
３１、５１、８１  ファンユニット
３２、３３、５２、５３、８２、８３  回路ユニット
３６、３６ａ、９０、９０ａ  吸い込み口
３８、８７  空間
３８ａ  通風隙間
３９  通風路
３９ａ  隔壁
８９  壁面
【図１】
0003565154.tif 000002
【図２】
0003565154.tif 000003
【図３】
0003565154.tif 000004
【図４】
0003565154.tif 000005
【図５】
0003565154.tif 000006
【図６】
0003565154.tif 000007
【図７】
0003565154.tif 000008
【図８】
0003565154.tif 000009